(57)【特許請求の範囲】
【請求項１】
回転軸が水平方向を向くカッタドラムを備えた切削装置を、自走式の車両の前部に設けられたアームの前端部に、左右の幅方向に長い取付部材を介して取付けた路面切削機において、
切削装置は、取付部材に対し左右移動可能に支持されるとともに、カッタドラムの回転軸が左右方向を向く姿勢と前後方向を向く姿勢との両方が可能なように取付部材に対し水平回動可能に支持されており、
カッタドラムの回転軸が前後方向を向く姿勢では、カッタドラムを回転させつつ切削装置を取付部材上で左右方向に移動可能になっていることを特徴とする路面切削機。
【発明の詳細な説明】
【０００１】
【発明の属する技術分野】
本発明は、舗装された路面を切削する自走式の路面切削機に関する。
【０００２】
【従来の技術】
アスファルトやコンクリート等で舗装された路面を切削するための自走式の路面切削機には、モータグレーダ等の他、図６に示すようなヒータを使用しないで機械的に切削する小型の路面切削機がある。この路面切削機は、自走式の車両１の前部に昇降自在なアーム３が設けられていて、このアーム３の前端部にカッタドラム５を備えた切削装置２が取付部材７を介して取付けられている。
【０００３】
ここで、切削装置２は取付部材７上で左右移動可能に支持されており、そのカッタドラム５は回転軸５１が、車両１の前輪１１の車軸１２と平行に支持されている。
【０００４】
この路面切削機は、大型の路面切削機の補助として使用される他、わだち掘れやひび割れ、局部切削等多様な道路補修に利用される。
このような路面補修作業において、路面を道路の車両走行方向に向けて切削する場合には、まず車両１を走行移動させて切削装置２の位置を路面の切削個所に合わせ、それからカッタドラム５を回転させつつ車両１を前進させる。道路の幅方向に複数の切削個所があるときには、１個所の切削が終了したら、切削装置２を幅方向へ左右に移動させる必要がある。このときには、車両１を一旦後退させ、切削装置２の位置を次の切削個所に合わせた後、再度カッタドラム５を回転させながら車両１を前進させ切削を行う。
【０００５】
道路の幅方向に向けて路面を切削する場合には、車両１を旋回させて横向きとし、切削装置２の位置を路面の切削個所に合わせ、それからカッタドラム５を回転させつつ車両１を道路を横断する方向へ前進させる。
【０００６】
【発明が解決しようとする課題】
しかし、道路の幅方向に向けて路面を切削する場合、道路の幅が広ければ車両１を旋回させて横向きとするのは容易であるが、道路の幅が狭い所では車両１を旋回させ、道路の幅方向に向けて路面を切削するのは極めて困難である。
【０００７】
本発明は、路面切削機におけるかかる問題を解決するものであって、切削装置を道路の幅方向に向けて路面を切削するのが容易な路面切削機を提供することを目的とする。
【０００８】
【課題を解決するための手段】
この発明では上記課題を解決するため、回転軸が水平方向を向くカッタドラムを備えた切削装置を、自走式の車両の前部に設けられたアームの前端部に、左右の幅方向に長い取付部材を介して取付けた路面切削機において、切削装置は、取付部材に対し左右移動可能に支持されるとともに、カッタドラムの回転軸が左右方向を向く姿勢と前後方向を向く姿勢との両方が可能なように取付部材に対し水平回動可能に支持されており、カッタドラムの回転軸が前後方向を向く姿勢では、カッタドラムを回転させつつ切削装置を取付部材上で左右方向に移動可能になっている。
【０００９】
この路面切削機は、路面補修作業において、路面を道路の車両走行方向に向けて切削する場合には、まず車両を走行移動させて切削装置の位置を路面の切削個所に合わせ、それから回転軸が左右方向を向く姿勢のカッタドラムを回転させつつ車両を前進させる。道路の幅方向に複数の切削個所があるときには、１個所の切削が終了したら、車両を一旦後退させ、カッタドラムの回転軸が左右方向を向く姿勢のまま切削装置を取付部材上で左右に横行移動させて切削装置の位置を次の切削個所に合わせた後、再度カッタドラムを回転させながら車両を前進させ切削を行う。
【００１０】
次の切削位置が切削装置の取付部材上での左右の横行移動可能範囲を越えているときには、車両を幅方向へ左右に移動させる必要があるが、このとき最終的な幅方向の位置決めは、切削装置の取付部材上での左右の横行移動で行うことができる。
【００１１】
路面を道路の幅方向に向けて切削する場合には、切削装置を取付部材に対し水平回動させてカッタドラムの回転軸が前後方向を向く横向きとし、車両を走行移動させて切削装置の位置を路面の切削個所に合わせ、それからカッタドラムを回転させつつ切削装置を取付部材上で道路を横断する方向へ移動させる。
【００１２】
車両を旋回させる必要はないので、道路の幅が狭い所でも道路の幅方向に向けて路面を切削するのが容易である。
【００１３】
【発明の実施の形態】
図１は本発明の実施の一形態を示す路面切削機の平面図、図２は路面切削機の側面図、図３は路面切削機の正面図、図４及び図５は切削装置の動作の説明図である。
【００１４】
この路面切削機において、自走式の車両１は、アーティキュレートタイプで前部に昇降自在なアーム３が設けられたホイールローダ用の車両であって、このアーム３の前端部に取付部材７が取付けられている。
【００１５】
取付部材７は左右の幅方向に長い枠体であり、この取付部材７の前面には幅方向にガイド１０が設けられている。取付部材７にはスライドベース７１が支持され、取付部材７とスライドベース７１との間には横行用シリンダ９が取付けられていて、横行用シリンダ９の伸縮によりスライドベース７１はガイド１０で案内されて取付部材７上で左右に摺動する。
【００１６】
スライドベース７１には、回転軸５１が水平方向を向くカッタドラム５を備えた切削装置２がピン６で枢着され、スライドベース７１と切削装置２との間には回動用シリンダ８が取付けられていて、回動用シリンダ８の伸縮により切削装置２はピン６を中心として取付部材７に対し水平回動する。
【００１７】
通常、切削装置２は、図１に示す車両１の中心面付近の基準位置にあり、このときカッタドラム５は回転軸５１が、車両１の前輪１１の車軸１２と平行に左右方向を向いて支持されている。
【００１８】
カッタドラム５の外周上には着脱交換可能なカッタビット５２が取付けられており、切削装置２の側面に設けたモータ４によって回転軸５１を駆動し、カッタドラム５を回転させることによりカッタビット５２で路面を切削する。
【００１９】
取付部材７の左右両端部と切削装置２の前端部には、ローラ７３、５３が設けられており、切削装置２の前端部のローラ５３のローラ軸５４と切削装置２との間にはローラ５３の高さを調整する調整用シリンダ５５が取付けられていて、切削作業時に切削装置２を所定の高さに保持する。
【００２０】
この路面切削機は、路面補修作業において、路面を道路の車両走行方向に向けて切削する場合には、まずアーム３を上昇させて切削装置２を路面から持ち上げた状態で車両１を走行移動させ、アーム３を下降させて切削装置２の位置を路面の切削個所に合わせ、それからモータ４を駆動して回転軸５１が左右方向を向くカッタドラム５を回転させつつ車両１を前進させる。
【００２１】
道路の幅方向に複数の切削個所があるときには、１個所の切削が終了したら、アーム３を上昇させて車両１を一旦後退させ、横行用シリンダ９を伸縮させて切削装置２を取付部材７上で左右に横行移動させ、切削装置２の位置を次の切削個所に合わせてアーム３を下降させた後、再度カッタドラム５を回転させながら車両１を前進させ切削を行う。
【００２２】
次の切削位置が切削装置２の取付部材７上での左右の横行移動可能範囲を越えているときには、車両１を幅方向へ左右に移動させる必要があるが、このとき最終的な幅方向の位置決めは、切削装置２の取付部材７上での左右の横行移動で行うことができる。
【００２３】
路面を道路の幅方向に向けて切削する場合には、アーム３を上昇させて切削装置２を路面から持ち上げた状態で回動用シリンダ８を伸長して、図４に示すように、切削装置２を取付部材７に対し９０°水平回動させてカッタドラム５の回転軸が前後方向を向く横向きとし、車両１を走行移動させて切削装置２の位置を路面の切削個所に合わせアーム３を下降させる。それからモータ４を駆動してカッタドラム５を回転させつつ横行用シリンダ９を伸長して、図５に示すように切削装置２を取付部材７上で道路を横断する方向へ移動させる。
【００２４】
切削装置２を横向きとするために車両１を旋回させる必要はないので、道路の幅が狭い所でも道路の幅方向に向けて路面を切削するのは容易となる。
【００２５】
【発明の効果】
以上説明したように、本発明の路面切削機は、切削装置を取付部材に対し水平回動させて横向きとし、取付部材上で左右に横行移動させることにより、車両を旋回させることなく、路面を道路の幅方向に向けて切削することができ、道路の幅が狭い所でも能率的に作業を行うことができる。
【図面の簡単な説明】
【図１】本発明の一形態を示す路面切削機の平面図である。
【図２】路面切削機の側面図である。
【図３】路面切削機の正面図である。
【図４】切削装置の動作の説明図である。
【図５】切削装置の動作の説明図である。
【図６】従来の路面切削機の平面図である。
【符号の説明】
１    車両
２    切削装置
３    アーム
４    モータ
５    カッタドラム
６    ピン
７    取付部材
８    回動用シリンダ
９    横行用シリンダ
１０  ガイド
１１  前輪
１２  車軸
５１  回転軸
５２  カッタビット
５３  ローラ
５４  ローラ軸
５５  調整用シリンダ
７１  スライドベース
７３  ローラ
【図１】
0003795155.tif 000002
【図２】
0003795155.tif 000003
【図３】
0003795155.tif 000004
【図４】
0003795155.tif 000005
【図５】
0003795155.tif 000006
【図６】
0003795155.tif 000007